(57)【要約】【課題】水平脚の表面全体に均一な表面処理を施しうるようにし、その見栄えを向上させるとともに、水平脚と起立脚との組立分解性及び位置決め性に優れ、かつ水平脚と起立脚との連結強度をも大としうるようにした家具用脚を提供する。【解決手段】水平脚２の上面における起立脚４の立設部に、有底の嵌合溝１０を設け、この嵌合溝１０に、上下方向を向く連結部材３の下端部を嵌合するとともに、この連結部材３の上端部に、起立脚４の下端部に設けた下方に開口する凹部１７を嵌合し、水平脚２及び連結部材３に下方より挿入したボルト２１を、起立脚４の凹部１７の上面に設けたナット２０に螺合して締め付けることにより、水平脚２と連結部材３と起立脚４とを互いに連結する。【選択図】  図３
2009178189.tif 000002
【特許請求の範囲】
【請求項１】
前後方向を向く水平脚の上面に、天板等を支持する起立脚を立設してなる家具用脚において、前記水平脚の上面における起立脚の立設部に嵌合溝を設け、この嵌合溝に、上下方向を向く連結部材の下端部を嵌合するとともに、この連結部材の上端部に、前記起立脚の下端部に設けた下方に開口する凹部を嵌合し、前記水平脚と連結部材と起立脚とを、固定手段をもって互いに連結したことを特徴とする家具用脚。
【請求項２】
水平脚の嵌合溝を、有底をなすものとしてなる請求項１記載の家具用脚。
【請求項３】
起立脚を下方が開口する中空状として、その下端部の内面に下向コ字状断面の嵌合部材を固着し、この嵌合部材の凹部を連結部材の上端部に嵌合してなる請求項１または２記載の家具用脚。
【請求項４】
連結部材の下端部の少なくとも左右両側面に、上面に起立脚の下端が当接するとともに、下面が水平脚の両側部上面に当接する外側方を向く凸条を突設してなる請求項１〜３のいずれかに記載の家具用脚。
【請求項５】
凸条の突出寸法を、水平脚における連結部材の嵌合部の両側部上面が一部露出する寸法としてなる請求項４記載の家具用脚。
【請求項６】
凸条を、連結部材の外周面全体に、鍔状に連設してなる請求項４または５記載の家具用脚。
【請求項７】
固定手段を、水平脚及び連結部材に下方より挿入したボルトと、起立脚の凹部の上面に設けためねじとからなるものとした請求項１〜６のいずれかに記載の家具用脚。
【発明の詳細な説明】
【技術分野】
【０００１】
本発明は、例えばテーブルや机、棚等の家具における脚に関する。
【背景技術】
【０００２】
この種の家具の脚としては、本願の出願人が先に特許出願しているように、接床する水平脚の後部上面に、起立脚を、組立・分解が容易なように立設したものがある(例えば特許文献１参照)。
【特許文献１】特開２００４−３０５５４１号公報
【発明の開示】
【発明が解決しようとする課題】
【０００３】
上記特許文献に記載されている脚においては、水平脚と起立脚同士を、前後左右に位置決めした状態で互いに容易に連結するとともに、互いの連結強度を高めうるように、水平脚の上面に上向突部を一体的に突設し、この突部に、起立脚の下端部に設けた凹部を適正に嵌合させた状態で、それらを互いにねじにより固定している。
上記のように、水平脚の上面に突部を一体的に突設すると、水平脚に高級感等を持たせるべく、その表面に、例えば鏡面仕上げ等の表面処理を、処理ライン上で自動的に施そうとすると、水平脚の上面と突部との連設隅部に、バフ等が効果的に当たらず、その部分に磨き残しが生じて、水平脚の表面全体が均一に鏡面仕上げされなくなり、見栄えが悪くなるという問題がある。
【０００４】
本発明は、上記問題点に鑑みてなされたもので、水平脚の表面全体に均一な表面処理を施しうるようにして、その見栄えを向上させ、かつ、水平脚と起立脚との組立・分解性及び位置決め性に優れ、さらに水平脚と起立脚との連結強度をも大としうるようにした家具用脚を提供することを目的としている。
【課題を解決するための手段】
【０００５】
本発明によると、上記課題は、次のようにして解決される。
（１）前後方向を向く水平脚の上面に、天板等を支持する起立脚を立設してなる家具用脚において、前記水平脚の上面における起立脚の立設部に嵌合溝を設け、この嵌合溝に、上下方向を向く連結部材の下端部を嵌合するとともに、この連結部材の上端部に、前記起立脚の下端部に設けた下方に開口する凹部を嵌合し、前記水平脚と連結部材と起立脚とを、固定手段をもって互いに連結する。
【０００６】
（２）上記(１)項において、水平脚の嵌合溝を、有底をなすものとする。
【０００７】
（３）上記(１)または(２)項において、起立脚を下方が開口する中空状として、その下端部の内面に下向コ字状断面の嵌合部材を固着し、この嵌合部材の凹部を連結部材の上端部に嵌合する。
【０００８】
（４）上記(１)〜(３)項のいずれかにおいて、連結部材の下端部の少なくとも左右両側面に、上面に起立脚の下端が当接するとともに、下面が水平脚の両側部上面に当接する外側方を向く凸条を突設する。
【０００９】
（５）上記(４)項において、凸条の突出寸法を、水平脚における連結部材の嵌合部の両側部上面が一部露出する寸法とする。
【００１０】
（６）上記(４)または(５)項において、凸条を、連結部材の外周面全体に、鍔状に連設する。
【００１１】
（７）上記(１)〜(６)項のいずれかにおいて、固定手段を、水平脚及び連結部材に下方より挿入したボルトと、起立脚の凹部の上面に設けためねじとからなるものとする。
【発明の効果】
【００１２】
請求項１記載の発明によれば、水平脚に起立脚を連結するための連結部材を、水平脚とは別体としてあり、水平脚の上面に突部を突設していないので、この表面に、例えばバフにより鏡面仕上げ等の表面処理を施す際において、水平脚の表面全体に、均一な表面処理を施すことができ、見栄えが向上する。
また、水平脚の上面に設けた嵌合溝に、連結部材の下端部を嵌合し、この連結部材の上端部に、起立脚の下端部の凹部を嵌合し、この状態で、水平脚と連結部材と起立脚同士を、固定手段により固定しているので、３部材を一つの固定手段で同時に連結しうるとともに、水平脚に対し、起立脚を、前後左右に正確に位置決めして連結することができる。
【００１３】
請求項２記載の発明によれば、水平脚に対し、連結部材の上下方向の位置決めが容易となる。
【００１４】
請求項３記載の発明によれば、起立脚の下端部が、その内面に固着した嵌合部材により、内外二重構造となるので、起立脚の下端部の曲げ剛性及び水平脚への連結部の強度が高まる。
【００１５】
請求項４記載の発明によれば、連結部材の下端部に突設した外側方を向く左右の凸条が、水平脚の両側部上面に当接しているので、連結部材に嵌合された起立脚が左右方向にぐらつく恐れが小さくなり、水平脚に安定よく連結される。
また、水平脚と起立脚との間に、凸条の上下寸法分の隙間が形成されるので、デザイン性が向上する。
【００１６】
請求項５記載の発明によれば、水平脚における連結部材の嵌合部の両側部上面が一部露出するので、水平脚に表面処理を施した際に、その部分の上面が、水平脚と起立脚との間の隙間から露見され、見栄えがよくなる。
【００１７】
請求項６記載の発明によれば、凸条を、連結部材の外周面全体に、鍔状に連設してあるので、連結部材に嵌合された起立脚の安定性がより高まる。
また、凸条により形成される水平脚と起立脚との間の隙間が、連続する目地状をなすので、デザイン性に優れるとともに、水平脚に表面処理を施した際の見栄えもよくなる。
【００１８】
請求項７記載の発明によれば、水平脚と起立脚とを強固に連結しうるとともに、ボルトの着脱のみで分解、組立ができるので、脚の下部の分解・組立性に優れる。
【発明を実施するための最良の形態】
【００１９】
以下、本発明の実施形態を、図面に基づいて説明する。
図１は、本発明の一実施形態を備えるテーブルの側面図、図２は、同じく正面図、図３は、図２のIII-III線拡大縦断側面図、図４は、図３のIV-IV線拡大縦断正面図である。
【００２０】
テーブルの左右の脚１、１は、前後方向(以下、図１の右方を前として説明する)を向く左右１対の水平脚２、２と、両水平脚２の後部上面に連結部材３を介して立設された左右１対の起立脚４、４と、両起立脚４、４の上端に後部下面が固着された、水平脚２とほぼ同じ前後寸法の天板支持アーム５、５とにより、側面視前向きコ字状に形成され、左右の天板支持アーム５の上面に、天板６の両側端部が支持されている。
【００２１】
脚１における水平脚２は、例えばアルミニウム合金等のダイキャスト製品よりなり、起立脚４との連結部よりも前方の部分の上面は、前方に向かうにしたがって漸次下傾し、かつその上端部には、両側方に突出する拡幅部２aが全長に亘って形成されている。
水平脚２の前後の端部には、下方よりめねじ孔７、７が穿設され、各めねじ孔７には、円板状の接床板８におけるアジャスタボルト９が螺合されている。
【００２２】
起立脚４の立設部において、水平脚２の後部上面には、前後方向に長い有底、かつ長方形の嵌合溝１０が形成され、この嵌合溝１０における前後両端部には、上方より円形かつ有底の凹孔１１、１１と、各凹孔１１に連通する小径孔１２a と、各小径孔１２a に連通する大径孔１２bとが、互いに同心をなすようにして形成されている。
水平脚２における嵌合溝１０を除く拡幅部２aの表面には、光沢を有する表面処理、例えば、バフ等による鏡面仕上げが施されている。
【００２３】
連結部材３は、例えばアルミニウム合金等のダイキャスト製品よりなり、下端部は、水平脚２の嵌合溝１０に適正に嵌合される前後左右寸法の嵌合部１３とされ、この嵌合部１３の前後両端部の下面には、嵌合溝１０内の前後の凹孔１１、１１に嵌合される突部１４、１４が下向突設されている。
【００２４】
連結部材３の前後の端部には、上下方向を向くとともに、前後の突部１４、１４と同心をなすボルト挿通孔１５、１５が貫設されている。
連結部材３の下端部における上記嵌合部１３より上方の外周面には、鍔状の凸条１６が、その左右両側部の下面が水平脚２の上面に当接するようにして、連続かつ一体的に突設されている。
図４に示すように、凸条１６の外側方への突出寸法は、水平脚２における拡幅部２aの両側部の上面が一部露出する寸法としてある。
【００２５】
起立脚４は、上下両端が開口された前後方向に長いほぼ長方形断面の中空状化粧鋼板よりなり、下端部の前後左右の内面には、正面視及び側面視の断面形状を共に下向コ字状とすることにより、内部に、連結部材３に上方より嵌合可能な下方に開口する上向凹部１７を有する嵌合部材１８が、スポット溶接等により固着されている。
嵌合部材１８における上片１８aの前後両端部には、通孔１９、１９が穿設され、両通孔１８の穿設部における上片１８aの上面には、ナット２０、２０が溶接されている。
【００２６】
水平脚２に起立脚４を連結するには、まず、水平脚２の後部上面の嵌合溝１０と前後の凹孔１１、１１に、連結部材３の下端部の嵌合部１３と前後の突部１４、１４を嵌合させ、凸条１６の下面を水平脚２における嵌合溝１０の周囲の上面に当接させる。
【００２７】
ついで、連結部材３の上端部に、起立脚４の下端部に固着した嵌合部材１８の上向凹部１７を、その上片１８aが連結部材３の上面に当接するとともに、嵌合部材１８の下端が凸条１６の上面と近接または当接するまで上方より嵌合させる。
この嵌合時において、水平脚２の拡幅部２aの上面と起立脚４の下端との間には、凸条１６の上下寸法分に相当する隙間が形成され、この隙間を通して、鏡面仕上げが施された水平脚２の上面における起立脚４の連結部の周囲が、目地状に露見され、かつその部分の水平脚２の上面が反射することにより、デザイン性及び見栄えがよくなる。
【００２８】
ついで、水平脚２の後部における前後の大径孔１２bと小径孔１２a に下方より挿入したボルト２１、２１を、連結部材１８の前後のボルト挿通孔１５、１５と、嵌合部材１８の通孔１９、１９とに挿通させて、嵌合部材１８の上片１８aに固着したナット２０、２０に螺合し、強く締め付ける。
これにより、水平脚２の後部上面に、起立脚４の下端部が強固に連結される。なお、起立脚４の上端部と天板支持アーム５の後部との連結構造は、本発明と直接関係しないので、その詳細な説明は省略する。
【００２９】
以上説明したように、上記実施形態の脚１においては、水平脚２に起立脚４を連結するための連結部材３を、水平脚２と別体としてあり、従来のように、水平脚２の後部上面に突部を突設していないので、表面処理工程において、水平脚２の表面全体に、均一な鏡面仕上げを施すことができ、見栄えが向上する。
【００３０】
また、水平脚２の上面に設けた嵌合溝１０に、連結部材３の下端部を嵌合し、この連結部材３の上端部に、中空状をなす起立脚４の下端部内に固着した嵌合部材１８を嵌合し、この状態で、水平脚２と連結部材３と嵌合部材１８同士を、ボルト２１とナット２０により固定しているので、水平脚２と起立脚４とを強固に連結しうるとともに、脚１の下部の分解・組立性に優れ、かつ水平脚２に対し、起立脚４を、前後左右に正確に位置決めして連結することができる。
しかも、連結部材３の下端部の外周面には、水平脚２の上面に当接する鍔状の凸条１６が突設され、かつ起立脚４の下端部の内面に、下向コ字状断面の嵌合部材１８を固着し、起立脚４の下端部を内外二重構造としているので、起立脚４の下端部の曲げ剛性及び水平脚２への連結強度が大きく、起立脚４の安定性が高まる。
【００３１】
図５は、連結部材の変形例を示す。
この連結部材２２は、前後方向を向き、かつ後端に、床面にアンカーボルト２３により固定可能な側面視後向きＬ字状の固定片２４が連設されたスペーサ片２５における上下の面に、上向嵌合部２６と下向嵌合部２７を突設した構造としてある。
上記下向嵌合部２７を、水平脚２の上面の嵌合溝１０に嵌合するとともに、上向嵌合部２６を、起立脚４の上向凹部１７(図５においては図示略)に嵌合し、かつスペーサ片２５を、水平脚２の上面と起立脚４の下面により挟持した状態で、水平脚２と連結部材２２と起立脚４とを、上記と同様のボルト２１とナット２０(図５では図示略)により固定しうるようにしてある。
【００３２】
このような連結部材２２の外に、例えば、スペーサ片２５を内方に延出させた連結部材とし、その延出部に物品を載置したり、延出部を物品を保持するブラケット等の取付部としたりしてもよい。
また、スペーサ片２５の左右寸法を大として、その両側部に、上記のような上向嵌合部２６と下向嵌合部２７を突設すれば、左右のテーブルの互いに隣接する脚同士を、連結部材により連結することもできる。
このように、連結部材の形状を種々変更することにより、これを他の用途にも利用することができる。
【００３３】
上記実施形態では、起立脚４の下端部内に、別体の嵌合部材１８を固着しているが、閉じ形断面とした起立脚４の下面を、プレス等により上向き凹状に凹ませて二重構造とし、この凹部を連結部材１８の上端部に嵌合するようにしてもよい。
また、起立脚４を木製等の板材により形成した際には、その下端面に、下方に開口する上向凹部を設け、この凹部を、連結部材３の上端部に嵌合してもよい。
これらの際には、凹部の上面(上片)にめねじを穿設し、これにボルト２１の上端部を螺合させればよい。
【００３４】
上記実施形態では、水平脚２の後部上面に起立脚４を立設しているが、例えば水平脚２の中央部に、起立脚４を、逆Ｔ字状をなすように立設する際にも、本発明を適用することができる。
【図面の簡単な説明】
【００３５】
【図１】本発明の一実施形態を備えるテーブルの側面図である。
【図２】同じく、正面図である。
【図３】図２のIII-III線拡大縦断側面図である。
【図４】図３のIV-IV線拡大縦断正面図である。
【図５】連結部材の変形例と、それにより連結される水平脚と起立脚の斜視図である。
【符号の説明】
【００３６】
１    脚
２    水平脚
２a   拡幅部
３    連結部材
４    起立脚
５    天板支持アーム
６    天板
７    めねじ孔
８    接床板
９    アジャスタボルト
１０  嵌合溝
１１  凹孔
１２a 小径孔
１２b 大径孔
１３  嵌合部
１４  突部
１５  ボルト挿通孔
１６  凸条
１７  上向凹部
１８  嵌合部材
１８a 上片
１９  通孔
２０  ナット
２１  ボルト
２２  連結部材
２３  アンカーボルト
２４  固定片
２５  スペーサ片
２６  上向嵌合部
２７  下向嵌合部
【図１】
2009178189.tif 000003
【図２】
2009178189.tif 000004
【図３】
2009178189.tif 000005
【図４】
2009178189.tif 000006
【図５】
2009178189.tif 000007